(57)【要約】【課題】外障子をバール等の工具でこじって持ち上げても、その下部を室外側に移動できないようにした引き違い窓とする。【解決手段】窓枠１０と内障子２０と外障子３０を備え、その外障子３０の下框３２の室内側部に、可動部材４１と操作部材４２と保持部材４３を備えた障子外し防止部材４０を取付け、この操作部材４２を保持部材４３で保持すると可動部材４１の下端部が下枠１２の上面１２ｂと離れ、その保持を解放すると可動部材４１の下端部が下枠１２の上面１２ｂに接し、かつ外障子３０を持ち上げると可動部材４１が相対的に下方に移動して下枠１２の上面１２ｂに接し続け、この可動部材４１が下枠１２のレール１２ａよりも室内側に位置して外障子３０の下部の室外側への移動を阻止するようにした引き違い窓。【選択図】      図２
2005048369.tif 000002
【特許請求の範囲】
【請求項１】
窓枠に、内障子と外障子を上下けんどん式に装着した引き違い窓において、
前記外障子の下部室内側に障子外し防止部材を取付け、この障子外し防止部材は、外障子を持ち上げると相対的に下方に移動して外障子の室内側下端部よりも下方に突出することを特徴とする引き違い窓。
【請求項２】
窓枠に、内障子と外障子を上下けんどん式に装着した引き違い窓において、
可動部材と、この可動部材に連結した操作部材と、この操作部材を保持して可動部材を上方位置で保持する保持部材を有する障子外し防止部材を備え、
前記保持部材を外障子の下框に、前記可動部材が下枠の外障子用のレールよりも室内側に位置し、かつ前記操作部材が室内側に向かうように取付け、
前記操作部材を保持した状態では可動部材の下端部が下枠の上面と離れ、その保持を解放することで可動部材の下端部が下枠の上面に接し、かつ外障子を持ち上げると相対的に下方に移動して外障子の室内側下端部よりも下方に突出することを特徴とする引き違い窓。
【請求項３】
下枠の上面にブロックを、可動部材と対向して取付け、可動部材の下端部がブロックに乗り上げると上方位置に移動して保持されるようにした請求項２記載の引き違い窓。
【請求項４】
操作部材は摘み片を備え、保持部材は、前記摘み片を上方位置で保持する一対の突条を備え、
この一対の突条は、摘み片が突条を越えて上方位置となると、その摘み片を上方に移動する機能を有する請求項３記載の引き違い窓。
【発明の詳細な説明】
【０００１】
【発明の属する技術分野】
本発明は、窓枠に内障子と外障子を上下けんどん式に装着した引き違い窓に関する。
【０００２】
【従来の技術】
引き違い窓は、例えば特許文献１に開示されたように、窓枠に内障子と外障子を上下けんどん式に装着し、その内障子と外障子が引き違いに面内方向に移動自在としたものが知られている。
窓枠に内・外障子を上下けんどん式に装着するやり方としては、例えば、内・外障子を上に移動して下部を下枠のレールよりも上方に位置させ、この状態で内・外障子の下部を面外方向に移動して下枠のレールの上方に位置させた後に、内・外障子を下に移動して下枠のレールに接することで、内・外障子を窓枠に面内方向に移動自在に装着する。
【０００３】
前述した引き違い窓は、特許文献１に記載されたように、内・外障子を持ち上げ、その下部を下枠のレールよりも上方に位置させることで内・外障子を室外から不正に外すことが可能で、防犯上好ましくない。
例えば、室外から下枠と内・外障子の下部との間にバール等の工具を押し込んで、こじることで内・外障子を持ち上げて室外から不正に外すことが可能である。
【０００４】
前述のことを防止するために、特許文献１に開示した引き違い窓においては、外障子の下部に突縁状の係止部を設け、窓枠を形成する縦枠の下部に持ち上げ阻止部を設け、その内・外障子を閉じ状態とした場合に係止部が阻止部に係止して外障子を持ち上げできないようにしている。
【０００５】
【特許文献１】
実公平３−４６１４５号公報
【０００６】
【発明が解決しようとする課題】
前述のように外障子の係止部を窓枠の阻止部に係止して外障子を持ち上げできないようにしても、バール等の工具を用いて外障子を強い力で無理にこじることで、外障子や窓枠が変形して外障子が持ち上がることがあり、内・外障子を不正に室外から外すことが可能で防犯上好ましくない。
【０００７】
本発明は、前述の課題に鑑みなされたものであり、その目的は、バール等の工具を用いてこじることで外障子を持ち上げても、その外障子の下部を室外側に移動できず、内・外障子を不正に室外から外すことができない引き違い窓を提供することである。
【０００８】
【課題を解決するための手段】
第１の発明は、窓枠に、内障子と外障子を上下けんどん式に装着した引き違い窓において、
前記外障子の下部室内側に障子外し防止部材を取付け、この障子外し防止部材は、外障子を持ち上げると相対的に下方に移動して外障子の室内側下端部よりも下方に突出することを特徴とする引き違い窓である。
【０００９】
第２の発明は、窓枠に、内障子と外障子を上下けんどん式に装着した引き違い窓において、
可動部材と、この可動部材に連結した操作部材と、この操作部材を保持して可動部材を上方位置で保持する保持部材を有する障子外し防止部材を備え、
前記保持部材を外障子の下框に、前記可動部材が下枠の外障子用のレールよりも室内側に位置し、かつ前記操作部材が室内側に向かうように取付け、
前記操作部材を保持した状態では可動部材の下端部が下枠の上面と離れ、その保持を解放することで可動部材の下端部が下枠の上面に接し、かつ外障子を持ち上げると相対的に下方に移動して外障子の室内側下端部よりも下方に突出することを特徴とする引き違い窓である。
【００１０】
第３の発明は、第２の発明において下枠の上面にブロックを、可動部材と対向して取付け、可動部材の下端部がブロックに乗り上げると上方位置に移動して保持されるようにした引き違い窓である。
【００１１】
第４の発明は、第３の発明において操作部材は摘み片を備え、保持部材は、前記摘み片を上方位置で保持する一対の突条を備え、
この一対の突条は、摘み片が突条を越えて上方位置となると、その摘み片を上方に移動する機能を有する引き違い窓である。
【００１２】
【作  用】
第１の発明によれば、外障子を持ち上げると障子外し防止部材が相対的に下方に移動し、外障子の室内側下端部よりも下方に突出する。
よって、室外からバール等の工具を用いて外障子をこじることで持ち上げ、外障子の室内側下端部をレールよりも上方に移動し、その外障子の下部を室外側に移動しようとした場合に、障子外し防止部材がレールに干渉して移動できない。
したがって、内・外障子を室外から不正に外すことを防止できる。
【００１３】
第２の発明によれば、操作部材の保持を解放することで可動部材の下端部が下枠の上面に接し、かつ外障子を持ち上げた時に可動部材が相対的に下方に移動し、外障子の室内側下端部よりも下方に突出する。
よって、室外からバール等の工具を用いて外障子をこじることで持ち上げ、外障子の室内側下端部をレールよりも上方に移動し、その外障子の下部を室外側に移動しようとした場合に、可動部材がレールに干渉して移動できない。
したがって、内・外障子を室外から不正に外すことを防止できる。
また、操作部材を保持部材で保持することで、可動部材の下端部が下枠の上面から離れるので、外障子の開閉時に可動部材の下端部が下枠の上面に沿って摺動することがなく、外障子をスムーズに開閉できる。
【００１４】
第３の発明によれば、操作部材の保持を解除したままの状態で外障子を開閉すると、可動部材の下端部がブロックに乗り上げて上方位置に移動し、操作部材が保持部材で保持される。
よって、可動部材の下端部が下枠の上面に沿って摺動することがなく、外障子をスムーズに開閉できる。
【００１５】
第４の発明によれば、可動部材の下端部がブロックに乗り上げて上方に移動すると、操作部材の摘み片が一対の突条で保持されると共に、上方に移動されるから、可動部材の下端部がブロックの上面から離れる。
よって、外障子の開閉時に可動部材の下端部がブロックの上面に接触しないから、外障子をよりスムーズに開閉できる。
【００１６】
【発明の実施の形態】
図１に示すように、窓枠１０に内障子２０と外障子３０が引き違いに面内方向に移動自在に装着されて引き違い窓を構成している。
前記外障子３０の下部室内側部に障子外し防止部材４０が取付けてある。
この障子外し防止部材４０は、外障子３０を持ち上げると相対的に下方に移動して外障子３０の室内側下端部３０ａよりも下方に突出する。
【００１７】
このようであるから、室外からバール等の工具を用いて外障子３０をこじることで持ち上げ、その外障子３０の下部を室外側に移動しようとした場合に、前述の障子外し防止部材４０が邪魔になって移動できないので、不正に室外から内・外障子２０，３０を外すことを防止できる。
例えば、外障子３０を持ち上げて室内側下端部３０ａをレールよりも上方に位置させても、前記障子外し防止部材４０が外障子３０の室内側下端部３０ａよりも下方に突出し、この障子外し防止部材４０がレールと干渉して外障子３０の下部を室外側に移動できない。
【００１８】
次に、各部材の具体形状を図１〜図４に基づいて説明する。
前記窓枠１０は、上枠１１と下枠１２と左右の縦枠１３を方形状に連結したものである。
前記内障子２０、外障子３０は、上框２１，３１と下框２２，３２と戸当り框２３，３３と召合せ框２４，３４を方形状に連結し、その内部にガラス２５，３５を装着してある。
内障子２０の召合せ框２４と外障子３０の召合せ框３４に亘って錠、例えばクレセント１が取付けてあり、内・外障子２０，３０を閉じた状態で施錠する。
【００１９】
前記障子外し防止部材４０は外障子３０の下框３２の室内側部に取付けてある。
この障子外し防止部材４０は図２と図３に示すように、可動部材４１と、この可動部材４１に連結した操作部材４２と、この操作部材４２を保持して可動部材４１を上方位置で保持する保持部材４３を備え、その保持部材４３を外障子３０の下框３２に取付けることで、可動部材４１が下枠１２の外障子３０用のレール１２ａよりも室内側に位置する。
そして、操作部材４２を保持部材４３で保持して図２の実線で示すように、可動部材４１を上方位置で保持すると、その可動部材４１の下端部が下枠１２の上面１２ｂと離隔する。この上面１２ｂとはレール１２ａよりも室内寄り部分の上面である。
前記操作部材４２の保持を解放すると図２の仮想線で示すように、下方に移動して可動部材４１の下端部が下枠１２の上面１２ｂに接し、この状態で外障子３０を持ち上げることで下框３２が上方に移動すると可動部材４１は相対的に下方に移動し、その下端部は下枠１２の上面１２ｂに接し続ける。
【００２０】
このようであるから、操作部材４２を保持部材４３で保持して可動部材４１を上方位置に保持することで、可動部材４１の下端部が下枠１２の上面１２ｂと離隔するから、外障子３０を開閉する時に可動部材４１の下端部が下枠１２の上面１２ｂに沿って摺動することがない。
よって、外障子３０をスムーズに開閉できる。
【００２１】
また、内・外障子２０，３０を閉じた時には、操作部材４２の保持を解放する。これによって可動部材４１の下端部が下枠１２の上面１２ｂに接する。
この状態で、室外側からバール等の工具を用いて外障子３０をこじって持ち上げ、下框３２の室内側下端部３２ａ（外障子３０の室内側下端部３０ａ）をレール１２ａよりも上方位置としても、可動部材４１が下枠１２の上面１２ｂに接し続けるので、外障子３０の下部を室外側に移動しようとしても可動部材４１がレール１２ａに干渉して移動できない。なお、可動部材４１が下枠１２の上面１２ｂから離れても、下框３２の室内側下端部３２ａよりも下方に位置すれば良い。
よって、内・外障子２０，３０を室外から不正に外すことを防止できる。
【００２２】
前記可動部材４１は板状で、上端部分にビス孔４４と孔４５が形成してある。この可動部材４１のレール１２ａと対向した面には溝４１ａが形成してある。
これによって、外障子３０をバール等の工具を用いてこじって持ち上げる際に、その可動部材４１の溝４１ａがレール１２ａに引っ掛かるので、外障子３０を持ち上げしづらくなる。
【００２３】
前記操作部材４２は、摺動片４６に摘み片４７と突軸４８を設け、その摺動片４６にビス挿通孔４９を形成してある。
前記保持部材４３は、筒体５０の一端開口縁に取付用フランジ５１を備え、この取付用フランジ５１に孔５２が形成してある。
前記筒体５０の対向縦内面５０ａ間の寸法が摺動片４６の長さとほぼ同一で、この対向縦内面５０ａに沿って摺動片４６が上下に摺動ガイドされる。
この対向縦内面５０ａの一端開口縁寄りに突条５３が形成され、この突条５３によって摘み片４７が上方位置で保持される。つまり、摘み片４７を一対の突条５３を弾性変形させて上方に移動すると上方位置で保持され、その摘み片４７を突条５３を越えて下方に移動すると保持が解放される。
前記筒体５０の他端開口縁寄り下部が切り欠きされ、この切欠部５０ｂから可動部材４１が筒体５０内に入り込む。
前記突軸４８が孔４５に嵌合すると共に、ビス５４をビス挿通孔４９からビス孔４４に螺合して操作部材４２と可動部材４１を連結している。
【００２４】
前記下框３２には、室内側面３２ｂに開口した取付用穴３２ｃが形成され、この取付用穴３２ｃから保持部材４３が下框３２の中空部３２ｄ内に挿入され、その取付用フランジ５１が室内側面３２ｂに接して孔５２を挿通したビス５５で固定される。
前記下框３２には可動部材４１が上下動自在に挿入される縦穴３２ｅが形成され、この縦穴３２ｅから可動部材４１が下方に突出する。
前述の障子外し防止部材４０を取付けるには、保持部材４３の筒体５０内に操作部材４２を入れた状態で保持部材４３を取付用穴３２ｃから挿入すると共に、可動部材４１を縦穴３２ｅに挿入し、その可動部材４１と操作部材４２を前述のように連結する。
【００２５】
この実施の形態では、下框３２はアルミ製の室外側部材３２−１と樹脂製の室内側部材３２−２を備えているが、これに限ることはない。
また、下枠１２は内障子用のレール１２ｃを備えている。
この実施の形態では、可動部材４１は自重で下方に移動するが、スプリング等の付勢手段で下方に移動するようにしても良いし、自重と付勢手段で下方に移動するようにしても良い。
また、障子外し防止部材４０（可動部材４１）を外障子３０の下部に、上下動自在で、外障子３０が上方に移動すると相対的に下方に移動するように設け、常時下枠１２の上面１２ｂに接するようにしても良い。この場合には、その下端部に滑り易い材料の摺動片を取付けて下枠１２の上面１２ｂに沿ってスムーズに摺動するようにすることが好ましい。
前記可動部材４１の下端部を下枠１２の上面１２ｂに形成した穴に挿入するようにしても良い。
【００２６】
次に、前述の障子外し防止部材４０の第２の実施の形態を説明する。
図５に示すように、下枠１２の前記上面１２ｂにブロック６０を障子外し防止部材４０（可動部材４１）と面外方向にほぼ同一として取付け、障子外し防止部材４０が下枠１２の上面１２ｂに接した状態で外障子３０を開閉すると、ブロック６０に乗り上げて上方に移動して上方位置で保持されるようにしてある。
このようにすれば、障子外し防止部材４０を上方位置とすることを忘れて外障子３０を開閉すると障子外し防止部材４０が上方位置に保持され、下枠１２の上面１２ｂと離隔するので、外障子３０をスムーズに開閉できる。
【００２７】
この場合に、保持部材４０の一対の突条５３は、摘み片４７が突条５３を越えて上方位置となると、その摘み片４７を上方に移動する機能を有するものとすることが好ましい。
例えば、図５に示すように一対の突条５３をく字形状とし、可動部材４１が図５に仮想線で示すように下枠１２の上面１２ｂに接している時には摘み片４７が一対の突条５３の折曲部５３ａよりも下方に位置するようにする。
【００２８】
そして、図６に示すように可動部材４１がブロック６０の斜面６０ａに乗り上げて上方に移動すると摘み片４７が一対の突条５３の折曲部５３ａよりも下方の斜面５３ｂに押しつけられ、一対の突条５３を、相互に離れる方向に弾性変形（つまり、拡開変形）し、図７に示すようにブロック６０に完全に乗り上げると摘み片４７が一対の突条５３の折曲部５３ａを越えて上方に位置し、摘み片４７は突条５３の折曲部５３ａよりも上方の斜面５３ｃに接する。
これによって、一対の突条５３に拡開変形する力が作用しなくなり、拡開変形していた一対の突条５３が元の形状に弾性復元し、その上方の斜面５３ｃが上方に移動するので、可動部材４１が一対の突条５３によって上方に移動され、図８に示すように可動部材４１の下端部がブロック６０の上面６０ｂと離れる。
【００２９】
このようであるから、外障子３０の開閉時に可動部材４１がブロック６０と干渉せずに、スムーズに開閉できる。
前述の障子外し防止部材４０は内障子２０の下部室内側部にも取付けても良い。
【００３０】
【発明の効果】
請求項１に係る発明によれば、外障子を持ち上げると障子外し防止部材が相対的に下方に移動し、外障子の室内側下端部よりも下方に突出する。
よって、室外からバール等の工具を用いて外障子をこじることで持ち上げ、外障子の室内側下端部をレールよりも上方に移動し、その外障子の下部を室外側に移動しようとした場合に、障子外し防止部材がレールに干渉して移動できない。
したがって、内・外障子を室外から不正に外すことを防止できる。
【００３１】
請求項２に係る発明によれば、操作部材の保持を解放することで可動部材の下端部が下枠の上面に接し、かつ外障子を持ち上げた時に可動部材が相対的に下方に移動し、外障子の室内側下端部よりも下方に突出する。
よって、室外からバール等の工具を用いて外障子をこじることで持ち上げ、外障子の室内側下端部をレールよりも上方に移動し、その外障子の下部を室外側に移動しようとした場合に、可動部材がレールに干渉して移動できない。
したがって、内・外障子を室外から不正に外すことを防止できる。
また、操作部材を保持部材で保持することで、可動部材の下端部が下枠の上面から離れるので、外障子の開閉時に可動部材の下端部が下枠の上面に沿って摺動することがなく、外障子をスムーズに開閉できる。
【００３２】
請求項３に係る発明によれば、操作部材の保持を解除したままの状態で外障子を開閉すると、可動部材の下端部がブロックに乗り上げて上方位置に移動し、操作部材が保持部材で保持される。
よって、可動部材の下端部が下枠の上面に沿って摺動することがなく、外障子をスムーズに開閉できる。
【００３３】
請求項４に係る発明によれば、可動部材の下端部がブロックに乗り上げて上方に移動すると、操作部材の摘み片が一対の突条で保持されると共に、上方に移動されるから、可動部材の下端部がブロックの上面から離れる。
よって、外障子の開閉時に可動部材の下端部がブロックの上面に接触しないから、外障子をよりスムーズに開閉できる。
【図面の簡単な説明】
【図１】本発明の第１の実施の形態を示す引き違い窓の内観図である。
【図２】図１のＡ−Ａ拡大詳細断面図である。
【図３】障子外し防止部材の分解斜視図である。
【図４】図２のＢ−Ｂ断面図である。
【図５】本発明の第２の実施の形態を示す障子外し防止部材の取付部分の内観図である。
【図６】動作説明図である。
【図７】動作説明図である。
【図８】動作説明図である。
【符号の説明】
１０…窓枠、１２…下枠、１２ａ…レール、１２ｂ…上面、２０…内障子、３０…外障子、３０ａ…室内側下端部、３２…下框、３２ａ…室内側下端部、４０…障子外し防止部材、４１…可動部材、４２…操作部材、４３…保持部材、４７…摘み片、５３…突条。
【図１】
2005048369.tif 000003
【図２】
2005048369.tif 000004
【図３】
2005048369.tif 000005
【図４】
2005048369.tif 000006
【図５】
2005048369.tif 000007
【図６】
2005048369.tif 000008
【図７】
2005048369.tif 000009
【図８】
2005048369.tif 000010